(57)【特許請求の範囲】
【請求項１】
シート材の辺を巻き込むような折りにより、板状の物品を保持する多角柱状のフレームが形成されるフレーム部と、該フレーム部に連接する多角形のシート部とからなり、該フレーム部が、フレームが形成された際に該シート部に対して鋭角になる面を有し、該シート部に突起部と、該フレーム部の該鋭角になる面に該突起部が挿入される挿入孔とが設けられ、辺を巻き込むような折りにより、該突起部が該鋭角になる面をスライドし、それに伴い自動的に該挿入孔に挿入され、該フレーム部の開こうとする力によりフレームが固定される係止手段を有する組み立て式フレーム。
【請求項２】
請求項１の組み立て式フレームにおいて、前記突起部と前記挿入孔とが、前記シート部と前記フレーム部とに、フレームと水平方向に複数設けられ、該フレーム部にフレームが折りやすい間隔になるよう、垂直方向に分断する切れ目を有する組み立て式フレーム。
【請求項３】
請求項２の組み立て式フレームにおいて、前記フレームを分断する切れ目の延長線に、フレームが形成される側が谷折りとなる、シート全体が折り畳まれる折り目を有し、該切れ目と該折り目の接点となる部分に孔が設けられた組み立て式フレーム。
【請求項４】
請求項１から３のいずれかの組み立て式フレームにおいて、前記シート部が矩形であり、該シート部の対向する二辺に前記フレーム部が設けられ、他の二辺から挿入される板状の物品を一枚から複数枚挟持し、壁へも掛けられる組み立て式フレーム。
【請求項５】
請求項１から３のいずれかの組み立て式フレームにおいて、前記シート部が多角形であり、該シート部の各辺に前記フレーム部が設けられ、四角形以外の多角形でも額縁状の形態になる組み立て式フレーム。
【請求項６】
請求項１から３のいずれかの組み立て式フレームにおいて、前記シート部が多角形であり、該シート部の一つまたは二つの辺に前記フレーム部が設けられた組み立て式フレームが、二つ以上使用され、板状の物品のサイズ、形態にかかわらず保持できる組み立て式フレーム。
【発明の詳細な説明】
【技術分野】
【０００１】
本発明は、板状の物品を保持するフレームに関する。
【背景技術】
【０００２】
パネル等の板状の物品を保持し展示・掲示をする場合は、フレーム・額縁・イーゼル等を使用するが、これらのものの中には、シート材を用い折り曲げにより組み立てられるものがある。
【０００３】
（特許文献１）では一枚のシート材から作られる組み立て式額縁、（特許文献２）では額縁ではないが額縁状の形態となるもの、（特許文献３）ではイーゼルスタンドが提案されている。
【先行技術文献】
【特許文献】
【０００４】
【特許文献１】特公昭６３−０４０５２８
【特許文献２】特許４０３４５５４
【特許文献３】実登３２１５５４６
【発明の概要】
【発明が解決しようとする課題】
【０００５】
組み立て式額縁は（特許文献１）のように、四辺にフレーム状の多角柱を形成し、隣り合う多角柱同士に係止手段を有し、一辺の多角柱では固定されず、させるためには舌片状のものを差し込む。あるいは、接着により固定されるものがほとんどである。（特許文献２）のように、一辺の多角柱だけで固定されるものもあるが、突起部と差し込みのスリットとの位置を合わせながら差し込まなければならず、おそらく突起部が差し込みのスリットより左右が大きく、差し込まれる際に左右が潰れて固定される、よくある固定方法と思われ組み立ては容易ではない。そして、蓋が必要であり、その多角柱のみでは物品を保持できない。また、（特許文献３）では、フレーム状の形態ではないため、物品が滑り落ちないよう滑り止めの突起が必要である。
【０００６】
本発明は上記のような従来技術の問題点に鑑みて、シート材を折るだけで容易に固定されたフレームを形成し、板状の物品を保持することを目的とする。
【課題を解決するための手段】
【０００７】
シート材の辺を巻き込むような折りにより、板状の物品を保持する多角柱状のフレームが形成されるフレーム部と、該フレーム部に連接する多角形のシート部とからなり、該フレーム部が、フレームが形成された際に該シート部に対して鋭角になる面を有し、該シート部に突起部と、該フレーム部の該鋭角になる面に該突起部が挿入される挿入孔とが設けられ、辺を巻き込むような折りにより、該突起部が該鋭角になる面をスライドし、それに伴い自動的に該挿入孔に挿入され、該フレーム部の開こうとする力によりフレームが固定される係止手段を有する。ここで多角形とは、凹みのない凸多角形である。
【０００８】
前記突起部と前記挿入孔とが、前記シート部と前記フレーム部とに、フレームと水平方向に複数設けられ、該フレーム部にフレームが折りやすい間隔になるよう、垂直方向に分断する切れ目を有する。
【０００９】
前記フレームを分断する切れ目の延長線に、フレームが形成される側が谷折りとなる、シート全体が折り畳まれる折り目を有し、該切れ目と該折り目の接点となる部分に孔が設けられる。
【００１０】
前記シート部が矩形であり、該シート部の対向する二辺に前記フレーム部が設けられ、他の二辺から挿入される板状の物品を一枚から複数枚挟持し、壁へも掛けられる。
【００１１】
前記シート部が多角形であり、該シート部の各辺に前記フレーム部が設けられ、四角形以外の多角形でも額縁状の形態になる。
【００１２】
前記シート部が多角形であり、該シート部の一つまたは二つの辺に前記フレーム部が設けられた組み立て式フレームが、二つ以上使用され、板状の物品のサイズ、形態にかかわらず保持できる。
【発明の効果】
【００１３】
本発明によれば、フレームはシート材を折るだけで容易に形成・固定され、板状の物品をしっかり保持でき、様々な状態にも応用・対応できる。
【図面の簡単な説明】
【００１４】
【図１】組み立て式フレームの形体例の展開図の部分図であり、Ａは突起部と挿入孔の形体例、Ｂは突起部と挿入孔の別の形体例。
【図２】組み立て式フレームの形体例の組み立て図であり、斜視部分図。
【図３】組み立て式フレームの形体例の組み立て図であり、側面部分図。
【図４】フレーム部の形体例で組み立てた状態の斜視部分図であり、Ａは三角柱、Ｂは四角柱、Ｃは五角柱。
【図５】フレーム部に切れ目を入れた状態の展開図の部分図。
【図６】シート部に折り目と孔を入れた状態の展開図の部分図。
【図７】シートを折り畳んだ状態の斜視部分図。
【図８】シート部に巻三つ折りとなる折り目と孔を入れた状態の展開図の部分図。
【図９】シートを巻三つ折りで折り畳んだ状態の斜視部分図。
【図１０】フレームを対向する二辺に設けた形体例の斜視図。
【図１１】上下二辺のフレームで、パネルを複数枚挟持した斜視図。
【図１２】上下二辺のフレームで、Ａ４タテとＡ３ヨコのパネルを挟持した斜視図。
【図１３】左右二辺のフレームで、パネルを挟持した斜視図。
【図１４】下部一辺のフレームで、シート部背面にスタンド部を設けた斜視図。
【図１５】下部一辺のフレームで、パネルを保持した斜視図。
【図１６】四角形のシート部の各辺にフレーム部を設けた展開図。
【図１７】四角形の額縁を組み立てた状態の正面図。
【図１８】三角形のシート部の各辺にフレーム部を設けた展開図。
【図１９】三角形の額縁を組み立てた状態の正面図。
【図２０】一辺のフレームのものを使用した例の正面図であり、Ａは小さいパネルで使用した例、Ｂは大きいパネルで使用した例。
【図２１】二辺のフレームのものを使用した例の正面図であり、Ａは小さいパネルで使用した例、Ｂは大きいパネルで使用した例。
【図２２】一辺のフレームのものと二辺のフレームのものを使用した例の正面図であり、ウォールポケットに使用した例。
【発明を実施するための形態】
【００１５】
以下、本発明を実施するための形態について説明する。
本発明の組み立て式フレームは、ダンボール、ボール紙等を素材とし、型抜き、筋付け等の加工がされたシート材で、折りのみにより容易に組み立てられ、ダンボール、発泡ボード等の板状の物品（以下、パネル）を保持できる。なお、素材は折り等が容易で強度があればＰＰ等の樹脂シートでもよい。
シート材の一辺に図１のように、辺に平行な折り目１ａを辺からそれぞれ間隔を開けて３本入れ、折り目１ａで仕切られた３つの面１ｂが折りにより三角柱を形成する。この３つの面１ｂ部分をフレーム部１とし、それに連接するシート部分をシート部２とする。そして、シート部２にフレーム部１に接する突起部３を設け、シート部２側に立ち上がる折り目を入れる。フレーム部１の辺側の面１ｂには突起部３が挿入される挿入孔４を設ける。
図１Ａのように突起部３は矩形で、その中央にシート材の厚みを容易に挿入可能なスリット状の孔３ａを設ける。フレーム部１の挿入孔４は矩形で、シート材の辺側の中央に突起部３の孔３ａに挿入され固定される係止部４ａを設け、係止部４ａを設けても突起部３を容易に挿入可能な間隔を係止部４ａの上に残す。あるいは、図１Ｂのように突起部３を、上部がフレーム部１に接するＴ字形とし、係止部４ｂを挿入孔４の左右両側に設ける。
なお、フレーム部１の挿入孔４のある面１ｂが作られる折り目１ａは、挿入孔４の近くが折りにくくなるので、挿入孔４の幅に合わせて切り目１ｃを入れるか、折り目１ａ全体にミシン目を入れるなどして折りやすくするとよい。また、シート部２の突起部３は、フレーム部１に食い込むように設けられてもよい。
【００１６】
そして図２、３のように、突起部３をあらかじめ立てておき、折り目１ａをしっかり折って三角柱状の状態としておき、辺をフレーム部１とシート部２の境の折り目１ａに当て、辺を巻き込むように折り込むと、挿入孔４が設けられた面１ｂがシート部２に対して鋭角になるため、突起部３の上端が挿入孔４が設けられた面１ｂに沿って移動し挿入孔４に挿入され、さらに折り込んでいくと、突起部３に設けられた孔３ａに、挿入孔４の係止部４ａが挿入され係止音とともに係止し、折る手を離すとフレーム部１の開らこうとする反発力により、係止部４ａがしっかり固定され、自立したフレーム５（以下、組み立てられた状態は、フレーム）が形成され、容易に外せない状態となる。この際、係止部４ａが挿入される状態は視認できないが、係止音により確認できる。
また、図１Ｂの突起部３と挿入孔４との場合では、Ｔ字形の上端の左右の突起部分３ｂが、挿入孔４の左右の係止部４ｂに引っ掛かるように係止する。
なお、図４Ａのように、フレーム５は最低でも３つの面１ｂを持つ形態（三角柱）でなければならないが、折り目１ａを増やして、図４Ｂ、Ｃのように、四角柱、五角柱と面１ｂを増やすことが可能で、この場合、より装飾的にすることができ、パネル保持部分も開きにくくなる。
【００１７】
フレーム５は、突起部３と挿入孔４とをフレーム部１とシート部２とに、フレーム５と水平方向に複数設け、延長することができる。この場合、延長が長くなるほど折りにくくなるため、折りやすい間隔になるよう、図５のように、フレーム部１を垂直に分断する切れ目１ｄを設け、切れ目１ｄごとに折れるようにする。これにより、フレーム５が分断されていても個々のフレーム５は自立して固定されるので一本のフレーム５として形成される。なお、切れ目１ｄはシート部２に食い込むように設け、フレーム部１とシート部２の境の折り目１ａを折りやすくする。
【００１８】
フレーム５が延長され、シート（以下、シート材全体は、シート）が大きくなる場合、シートを折り畳めるようにすることができる。この場合、図６のように、シート部２の切れ目１ｄの延長線に、フレーム５が形成される側に谷折りとなる折り目２ａを設ける。そして、切れ目１ｄと折り目２ａの間に、三角、四角、丸等の形状の孔２ｂを設ける。これにより、図７のように切れ目１ｄと折り目２ａの境目によれ等の影響がなくきれいに折り畳める。箱等を作る場合にはこのような箇所は切れ目に間隔をあけたりするが（箱の蓋の角部分など）、フレーム５に間隔が開かず一本のフレーム５とするため孔２ｂを設ける。また、谷折りとすることでフレーム５が形成された状態でフレーム５側にも反対側にも折れずに一本のフレーム５状態となる。
折り畳む箇所は複数箇所でもよく、巻三つ折りにもできる。巻三つ折りの場合は図８のように、内側に畳まれる部分は一本の折り目２ａでよいが、外側で畳まれる部分は内側に畳まれる部分の厚み分を挟める間隔になるような二本の折り目２ａを入れ、孔２ｂをその分左右に広くすると、図９のようにきれいに折り畳める。また、二本の折り目２ａは間隔が狭くなるのでミシン目を入れ折りやすくしてもよい。
なお、切れ目１ｄと折り目２ａの間の孔２ｂは、フレーム５と平行な切れ目でもよい。
【００１９】
図１０のようにフレーム５を、矩形のシート部２の対向する二辺に設けると、上下あるいは左右のフレーム５でパネルを挟持できる。二辺のフレーム５で挟持するため、他の二辺からパネルを挿入でき、パネルの角が丸くなっていれば、挿入時には突起部３がレールのような役割となりスムーズに挿入できる。このため、パネルを容易に差し替えられる。そして、パネルが挿入されると係止部４が外れにくくなり、より強固に固定される。
また、パネルはフレーム５の左右からはみ出していても、しっかり挟持された状態であればよく、図１１のように複数枚の展示・掲示も可能であり、例えば、図１２のようにＡ４タテとＡ３ヨコとの変則的な組み合わせも可能である。
左右のフレーム５とした場合は、上部が広がっている、例えば、図１３のような木や花束のような絵画、写真をパネルとして上部をその形に切り抜いたもの等の特殊な形状にも対応できる。
シート部２の壁への固定は、両面テープ等で接着、紐等で吊り下げ、画鋲等の方法がある。なお画鋲の場合は、シート部２にプレスで凹みを設けるとパネルの挿入がしやすくなる。なお、シート部２の背面にスタンド部６を設けて立てて設置してもよい。
【００２０】
図１４のようにフレーム５を、矩形のシート部２の下部の一辺に設け、シート部２の背面にスタンド部６を設ければ、図１５のようにパネルを置くだけで展示、掲出ができる。この場合、スタンド部６はシート部２の背面にスタンドを接着するか、シート部２に折りで組み立てられるスタンドを型抜きで設ける。
通常、このようにパネルを展示・掲示する場合、パネルに直接スタンドを接着するか、イーゼルのようなものを使用するが、パネルごとにスタンドを接着しなければならない。
イーゼルではイーゼルの存在感が大きくなる等の問題がある。しかし、本発明では、パネルは置くだけなので、差し替えも容易で、イーゼルのような存在を感じさせず、主役のパネルを目立たせられる。
これにより、フォトスタンド、メニュースタンド、カレンダー、ウェルカムボード、ＰＯＰ等、大きなものでは、シート部２、スタンド部６を大きくすることで人物大のパネル等にも使用できる。
【００２１】
図１６、１８のように多角形のシート部２の各辺にフレーム部１を設けると、額縁として使用できる。
図１７のような通常の矩形の額縁はもちろん、図１９のような三角形、五角形等の多角形、あるいは、台形、平行四辺形等の形状でも額縁が作れる。フレーム部１は隣り合う辺のフレーム５との断面の角度を合わせた形状とし、折るだけで額縁が作れる。これに飾る写真、絵画等は組み立てる途中の差し込み可能な段階で差し込み、残りのフレーム部１を組み立てる。また、フレーム５は面の多い多角柱にもできるので、装飾性の高い額縁が作れる。
【００２２】
また、多角形のシート部２の一辺あるいは二辺にフレーム部１を設けたものを、二つ以上使用し壁面等に固定すると、同じものを使用しながらサイズの異なるパネル、あるいは同じサイズのパネルをタテでもヨコでも展示・掲示可能となる。図２０のように一辺のフレーム５であれば上下あるいは左右で挟持し、パネルの差し替えができ、図２１のように二辺のフレーム５であれば対角で挟持し、角を保持することでずれないように固定できる。
なお、フレーム部１が設けられた二辺は直角でなくてもよく、鋭角であれば、三角形、菱形等、鈍角であれば、五角形等のパネルが固定できる。さらに、フレーム５が一辺のものと二辺のものとを合わせて使用すれば、様々な状態、特殊な形状のパネルでも対応可能となり、パネルの全体を囲わないため存在感を抑えパネルを目立たせられる。
【００２３】
このように、本発明の組み立て式フレームは、折り目でしっかり折っておけば、あとはワンタッチの容易な組み立てにより、一辺だけでも自立したフレーム５が形成される。
これにより、通常のパネルの展示、掲示だけでなく特殊な形態にも対応でき、図２２のように、前面が立体で物の出し入れをするウォールポケットなどの保持や、最低限の保持箇所による固定もでき、様々な使用方法が考えられる。
【符号の説明】
【００２４】
１    フレーム部
１ａ  フレーム部の折り目
１ｂ  フレーム部の面
１ｃ  切れ目
１ｄ  フレームを分断する切れ目
２    シート部
２ａ  シートを折り畳むための折り目
２ｂ  シート部の折り目とフレームを分断する切れ目の間の孔
３    突起部
３ａ  突起部の孔
３ｂ  Ｔ字型突起部の上部左右の突起部分
４    挿入孔
４ａ  挿入孔中央の係止部
４ｂ  挿入孔左右の係止部
５    組み立てられた状態のフレーム
６    スタンド部
【要約】
【課題】シート材を折るだけで容易に固定されたフレームが形成され、板状の物品を保持するフレームを提供する。
【解決手段】シート材の辺を巻き込むような折りにより、板状の物品を保持する多角柱状のフレーム５が形成されるフレーム部１と、連接する多角形のシート部２とからなり、フレーム部１が、フレーム５が形成された際にシート部２に対して鋭角になる面を有し、シート部２に突起部３と、フレーム部１の鋭角になる面に突起部３が挿入される挿入孔４とが設けられ、辺を巻き込むような折りによりフレーム５が固定される係止手段を有する。
【選択図】図２【図１】
0006735991.tif 000002
【図２】
0006735991.tif 000003
【図３】
0006735991.tif 000004
【図４】
0006735991.tif 000005
【図５】
0006735991.tif 000006
【図６】
0006735991.tif 000007
【図７】
0006735991.tif 000008
【図８】
0006735991.tif 000009
【図９】
0006735991.tif 000010
【図１０】
0006735991.tif 000011
【図１１】
0006735991.tif 000012
【図１２】
0006735991.tif 000013
【図１３】
0006735991.tif 000014
【図１４】
0006735991.tif 000015
【図１５】
0006735991.tif 000016
【図１６】
0006735991.tif 000017
【図１７】
0006735991.tif 000018
【図１８】
0006735991.tif 000019
【図１９】
0006735991.tif 000020
【図２０】
0006735991.tif 000021
【図２１】
0006735991.tif 000022
【図２２】
0006735991.tif 000023